(57)【要約】      （修正有）【課題】通信装置の無線通信機能を低コストで効率よく検査する通信機能検査システムおよび通信機能検査方法を提供すること。【解決手段】通信機能検査システム１００は、第１通信装置の無線通信機能の有効性を検査する。第１無線通信部と同じ構成である第２通信装置が、制御端末からの要求に応じて、第２無線通信部を第１通信装置の第１無線通信部に無線帰属させ、第２無線通信部に第１無線通信部とのデータ送受信を実行させる。【選択図】図１
2018037868.tif 000002
【特許請求の範囲】
【請求項１】
無線通信を行う第１無線通信部を備えた第１通信装置の無線通信機能を検査する通信機能検査システムであって、
前記第１無線通信部と同じ構成であり、無線通信を行う第２無線通信部を備えた第２通信装置と、
前記第１通信装置および前記第２通信装置を制御する制御端末と、を有し、
前記第２通信装置は、
前記制御端末からの要求に応じて、前記第２無線通信部を前記第１無線通信部に無線帰属させ、前記第２無線通信部に前記第１無線通信部とのデータ送受信を実行させて、前記データ送受信の結果を前記制御端末に送信する第２制御部を有する通信機能検査システム。
【請求項２】
前記第１通信装置は、
前記無線通信機能の検査時に、検査対象の通信装置として無線通信を実行するアクセスポイントモードに設定され、
前記第２通信装置は、
前記無線通信機能の検査時に、検査対象の通信装置の対向装置として無線通信を実行するステーションモードに設定される請求項１に記載の通信機能検査システム。
【請求項３】
前記第２制御部は、
前記第２通信装置を前記第１通信装置の対向装置として機能させる無線ドライバを前記制御端末を介して取得し、
前記データ送受信が完了したときに前記無線ドライバを削除するものである請求項１又は２に記載の通信機能検査システム。
【請求項４】
前記第１通信装置は、
検査対象の通信装置の検査を実行させる工場検査モードに設定された起動モードフラグと、検査対象の通信装置として無線通信を実行させるアクセスポイントモードに設定された無線モードフラグとが格納された第１データ記憶部を有し、
前記第２通信装置は、
前記工場検査モードに設定された前記起動モードフラグと、検査対象の通信装置の対向装置として無線通信を実行させるステーションモードに設定された無線モードフラグとが格納された第２データ記憶部を有し、
前記第１通信装置及び前記第２通信装置は、
前記起動モードフラグ及び前記無線モードフラグに基づいて前記無線通信機能の検査を行うものである請求項１に記載の通信機能検査システム。
【請求項５】
前記第１通信装置は、
前記データ送受信が完了したときに、前記起動モードフラグを通常運用モードに設定する第１制御部を有し、
前記第２制御部は、
前記データ送受信が完了したときに、前記起動モードフラグを前記通常運用モードに設定すると共に、前記無線モードフラグを前記アクセスポイントモードに設定するものである請求項４に記載の通信機能検査システム。
【請求項６】
前記第２データ記憶部には、
前記第２通信装置を前記第１通信装置の対向装置として機能させる無線ドライバが格納されており、
前記第２制御部は、
前記データ送受信が完了したときに前記無線ドライバを削除するものである請求項４又は５に記載の通信機能検査システム。
【請求項７】
前記制御端末は、
前記第２制御部から送信された前記データ送受信の結果を示す情報を表示部に表示させるものである請求項１〜６の何れか一項に記載の通信機能検査システム。
【請求項８】
無線通信を行う第１無線通信部を備えた第１通信装置の無線通信機能を検査する通信機能検査方法であって、
前記第１無線通信部と同じ構成であり、無線通信を行う第２無線通信部を備えた第２通信装置が、前記第１通信装置および前記第２通信装置を制御する制御端末からの要求に応じて、
前記第２無線通信部を前記第１無線通信部に無線帰属させる無線帰属ステップと、
前記第２無線通信部に前記第１無線通信部とのデータ送受信を実行させて、前記データ送受信の結果を前記制御端末に送信するデータ送受信ステップと、を有する通信機能検査方法。
【発明の詳細な説明】
【技術分野】
【０００１】
本発明は、通信装置の通信機能を検査する通信機能検査システムおよび通信機能検査方法に関する。
【背景技術】
【０００２】
従来から、無線アクセスポイント機能を備えた通信装置が知られている（例えば、特許文献１参照）。こうした通信装置は、製造時の工場検査において、無線通信機能が検査される。従来は、工場検査のために専用の無線検査装置を設置し、無線検査装置から検査対象の通信装置に無線帰属させることで、無線通信機能の検査を行っている。
【先行技術文献】
【特許文献】
【０００３】
【特許文献１】特開２０１１−１１４３９１号公報
【発明の概要】
【発明が解決しようとする課題】
【０００４】
しかしながら、従来の検査方式では、通信装置の無線通信機能を検査するために、無線検査装置を別途設ける必要があるため、設置コストおよび手間がかかるという課題がある。よって、通信装置の無線通信機能を低コストで効率よく検査する通信機能検査システムおよび通信機能検査方法が望まれている。
【課題を解決するための手段】
【０００５】
本発明に係る通信機能検査システムは、無線通信を行う第１無線通信部を備えた第１通信装置の無線通信機能を検査する通信機能検査システムであって、第１無線通信部と同じ構成であり、無線通信を行う第２無線通信部を備えた第２通信装置と、第１通信装置および第２通信装置を制御する制御端末と、を有し、第２通信装置は、制御端末からの要求に応じて、第２無線通信部を第１無線通信部に無線帰属させ、第２無線通信部に第１無線通信部とのデータ送受信を実行させて、データ送受信の結果を制御端末に送信する第２制御部を有するものである。
【０００６】
また、本発明に係る通信機能検査方法は、無線通信を行う第１無線通信部を備えた第１通信装置の無線通信機能を検査する通信機能検査方法であって、第１無線通信部と同じ構成であり、無線通信を行う第２無線通信部を備えた第２通信装置が、第１通信装置および前記第２通信装置を制御する制御端末からの要求に応じて、第２無線通信部を第１無線通信部に無線帰属させる無線帰属ステップと、第２無線通信部に第１無線通信部とのデータ送受信を実行させて、データ送受信の結果を制御端末に送信するデータ送受信ステップと、を有するものである。
【発明の効果】
【０００７】
本発明によれば、第２通信装置が、第２無線通信部を第１無線通信部に無線帰属させ、第２無線通信部に第１無線通信部とのデータ送受信を実行させるため、第１通信装置の無線通信機能を低コストで効率よく検査することができる。
【図面の簡単な説明】
【０００８】
【図１】本発明の第１実施形態に係る通信機能検査システムの構成を例示するブロック図である。
【図２】図１の通信機能検査システムによる起動処理および無線設定処理の動作を示すシーケンス図である。
【図３】図１の通信機能検査システムによる工場検査の初期設定処理の動作を示すシーケンス図である。
【図４】図１の通信機能検査システムによる通信機能検査処理の動作を示すシーケンス図である。
【図５】図１の通信機能検査システムによる初期化処理の動作を示すシーケンス図である。
【図６】本発明の第２実施形態に係る通信機能検査システムの構成を例示するブロック図である。
【図７】図６の通信機能検査システムによる起動処理および無線設定処理の動作を示すシーケンス図である。
【発明を実施するための形態】
【０００９】
［第１実施形態］
図１は、本発明の第１実施形態に係る通信機能検査システムの構成を例示するブロック図である。本第１実施形態における通信機能検査システムは、通信装置の製造時の工場検査において、２台の通信装置を使用し、それぞれを無線通信させることで、効率的な無線通信機能の検査を行うように構成されている。
【００１０】
図１に示すように、通信機能検査システム１００は、検査対象の通信装置としての第１ホームゲートウェイ装置１１と、第１ホームゲートウェイ装置１１の対向装置としての第２ホームゲートウェイ装置１２と、第１ホームゲートウェイ装置１１および第２ホームゲートウェイ装置１２を制御する制御端末６０と、を有している。第１ホームゲートウェイ装置１１と第２ホームゲートウェイ装置１２とは同じ構成であり、制御端末６０からの設定により、通常運用時の無線モードであるアクセスポイントモード（ＡＰモード）、又は対向装置としての無線モードであるステーションモード（ＳＴＡモード）で動作する。本第１実施形態では、検査対象である第１ホームゲートウェイ装置１１がＡＰモードに設定され、対向装置である第２ホームゲートウェイ装置１２がＳＴＡモードに設定される。よって、第１ホームゲートウェイ装置１１は、検査対象の通信装置として無線通信の設定を実行し、第２ホームゲートウェイ装置１２は、検査対象の通信装置の対向装置として無線通信を実行する。この場合、第２ホームゲートウェイ装置１２から第１ホームゲートウェイ装置１１への無線帰属および無線通信が可能となる。
【００１１】
第１ホームゲートウェイ装置１１は、第１制御部２１と、第１データ記憶部３１と、第１無線通信部４１と、第１有線通信部５１と、を有している。第１制御部２１は、第１起動処理部２１Ａと、第１無線設定処理部２１Ｂと、第１無線制御部２１Ｃと、第１有線制御部２１Ｄと、第１工場検査処理部２１Ｅと、を有している。ここで、第１ホームゲートウェイ装置１１は、本発明の第１通信装置に相当する。
【００１２】
第２ホームゲートウェイ装置１２は、第２制御部２２と、第２データ記憶部３２と、第２無線通信部４２と、第２有線通信部５２と、を有している。第２制御部２２は、制御端末６０からの要求に応じて、第２無線通信部４２を第１無線通信部４１に無線帰属させ、第２無線通信部４２に第１無線通信部４１とのデータ送受信を実行させて、データ送受信の結果を制御端末６０に送信するものである。第２制御部２２は、第２起動処理部２２Ａと、第２無線設定処理部２２Ｂと、第２無線制御部２２Ｃと、第２有線制御部２２Ｄと、第２工場検査処理部２２Ｅと、を有している。ここで、第２ホームゲートウェイ装置１２は、本発明の第２通信装置に相当する。
【００１３】
第１データ記憶部３１のデータ保存領域には、第１ホームゲートウェイ装置１１の規定のファームウェアが格納されている。第２データ記憶部３２のデータ保存領域には、第２ホームゲートウェイ装置１２の規定のファームウェアが保持されている。規定のファームウェアは、第１ホームゲートウェイ装置１１又は第２ホームゲートウェイ装置１２の基板の製造時に、ＲＯＭライタによって書き込まれる。
【００１４】
規定のファームウェアは、ブートローダ、ＯＳ（Ｏｐｅｒａｔｉｎｇ  Ｓｙｓｔｅｍ）、および所定のプログラムを含んでいる。所定のプログラムには、後述する装置起動スクリプト、無線設定スクリプト、ＧＥＭＡＣ（Ｇｉｇａｂｉｔ  Ｅｔｈｅｒｎｅｔ  ＭＡＣ）ドライバ、および工場検査処理プロセスが含まれる。また、規定のファームウェアは、アクセスポイント用無線ドライバ（ＡＰ用無線ドライバ）を含んでいる。第１データ記憶部３１および第２データ記憶部３２は、例えば、フラッシュＲＯＭ（Ｆｌａｓｈ  Ｒａｎｄｏｍ  Ａｃｃｅｓｓ  Ｍｅｍｏｒｙ）により構成することができる。
【００１５】
第１制御部２１および第２制御部２２は、例えば、ＳｏＣ（Ｓｙｓｔｅｍ  ｏｎ  Ｃｈｉｐ）内蔵のＣＰＵ（Ｃｅｎｔｒａｌ  Ｐｒｏｃｅｓｓｉｎｇ  Ｕｎｉｔ）およびＲＡＭ（Ｒａｎｄｏｍ  Ａｃｃｅｓｓ  Ｍｅｍｏｒｙ）により構成することができる。また、第１制御部２１および第２制御部２２は、ＤＳＰ（ｄｉｇｉｔａｌ  ｓｉｇｎａｌ  ｐｒｏｃｅｓｓｏｒ）等のマイコンによって構成してもよい。
【００１６】
第１起動処理部２１Ａは、第１ホームゲートウェイ装置１１の起動処理を行うものである。例えば、第１起動処理部２１Ａは、無線の初期化を行うために、第１無線設定処理部２１Ｂを起動させる機能を有している。第２起動処理部２２Ａは、第２ホームゲートウェイ装置１２の起動処理を行うものである。例えば、第２起動処理部２２Ａは、無線の初期化を行うために、第２無線設定処理部２２Ｂを起動させる機能を有している。また、起動処理には、各種デバイスの初期設定処理、およびプロセスの起動処理などが含まれる。第１起動処理部２１Ａ又は第２起動処理部２２Ａとしての機能は、第１制御部２１又は第２制御部２２を構成するＣＰＵ等のコンピュータが、シェルで記述された装置起動スクリプトを実行することにより実現される。
【００１７】
第１無線設定処理部２１Ｂは、第１起動処理部２１Ａからの無線設定に関する要求を第１無線制御部２１Ｃに伝達し、無線通信の設定を行うものである。第２無線設定処理部２２Ｂは、第２起動処理部２２Ａからの無線設定に関する要求を第２無線制御部２２Ｃに伝達し、無線通信の設定を行うものである。第１無線設定処理部２１Ｂ又は第２無線設定処理部２２Ｂとしての機能は、第１制御部２１又は第２制御部２２を構成するコンピュータが、無線設定スクリプトを実行することにより実現される。
【００１８】
第１無線制御部２１Ｃは、第１無線通信部４１の駆動用ドライバであり、第１無線通信部４１に、無線通信を行うための初期設定の要求、および無線通信機能の検査に関する設定要求などを行うものである。第２無線制御部２２Ｃは、第２無線通信部４２の駆動用ドライバであり、第２無線通信部４２に、無線通信を行うための初期設定の要求、および無線通信機能の検査に関する設定要求などを行うものである。第１無線制御部２１Ｃは、第１無線通信部４１をＡＰモードで動作させ、第２無線制御部２２Ｃは、第２無線通信部４２をＳＴＡモードで動作させる。第１無線制御部２１Ｃとしての機能は、第１制御部２１を構成するコンピュータが、ＡＰ用無線ドライバを実行することにより実現される。第１制御部２１は、ＡＰ用無線ドライバを第１データ記憶部３１から取得する。第２無線制御部２２Ｃとしての機能は、第２制御部２２を構成するコンピュータが、ＳＴＡ用無線ドライバを実行することにより実現される。ＳＴＡ用無線ドライバは、第２ホームゲートウェイ装置１２を第１ホームゲートウェイ装置１１の対向装置として機能させるものであり、第２制御部２２は、ＳＴＡ用無線ドライバを制御端末６０から取得する。制御端末６０は、インターネット等を介してＳＴＡ用無線ドライバを取得し、第２制御部２２にインストールさせるようにしてもよい。もっとも、制御端末６０は、ＳＴＡ用無線ドライバを予め記憶部６３等に格納しておいてもよい。
【００１９】
第１無線通信部４１は、例えば、第１ホームゲートウェイ装置１１の基板上のＳｏＣに接続された無線チップである。第２無線通信部４２は、例えば、第２ホームゲートウェイ装置１２の基板上のＳｏＣに接続された無線チップである。本第１実施形態において、ＳＴＡモードで動作する第２無線通信部４２は、第２工場検査処理部２２Ｅからの設定要求に応じて、ＡＰモードで動作する第１無線通信部４１に無線帰属する。すると、第１無線通信部４１は、第２無線通信部４２からの無線帰属により、外部のアプリケーションとの無線通信が可能となる。第１無線通信部４１および第２無線通信部４２は、ＷｉＦｉ（登録商標：以下同様）等の無線ＬＡＮ、又はＢｌｕｅｔｏｏｔｈ（登録商標：以下同様）などの任意の通信規格により無線通信を行う機能を有している。
【００２０】
第１有線制御部２１Ｄは、第１有線通信部５１の駆動用ドライバであり、第１有線通信部５１に、有線通信を行うための初期設定の要求などを行うものである。第２有線制御部２２Ｄは、第２有線通信部５２の駆動用ドライバであり、第２有線通信部５２に、有線通信を行うための初期設定の要求などを行うものである。第１有線制御部２１Ｄ又は第２有線制御部２２Ｄとしての機能は、第１制御部２１又は第２制御部２２を構成するコンピュータが、ＧＥＭＡＣドライバを実行することにより実現される。
【００２１】
第１有線通信部５１および第２有線通信部５２は、例えば、ＳｏＣ内蔵のＧＥＭＡＣからなり、有線ＬＡＮ等の任意の通信規格により有線通信を行う機能を有している。第１ホームゲートウェイ装置１１は、例えばＬＡＮポートからなる有線通信ポート（図示せず）を有しており、第１有線通信部５１は、有線通信ポートに接続されている。第２ホームゲートウェイ装置１２は、例えばＬＡＮポートからなる有線通信ポート（図示せず）を有しており、第２有線通信部５２は、有線通信ポートに接続されている。第１有線通信部５１および第２有線通信部５２は、有線ＬＡＮ等を介してＰＣ（Ｐｅｒｓｏｎａｌ  ｃｏｍｐｕｔｅｒ）等の制御端末と接続し、外部のアプリケーションとの有線通信を行うものである。本第１実施形態において、第１有線通信部５１および第２有線通信部５２は、制御端末６０の端末有線通信部６２に接続されている。
【００２２】
第１工場検査処理部２１Ｅは、第１無線設定処理部２１Ｂに要求を出すことで、無線機能の設定および無線機能の検査を行うものである。第２工場検査処理部２２Ｅは、第２無線設定処理部２２Ｂに要求を出すことで、無線機能の設定および無線機能の検査を行うものである。本第１実施形態において、第２工場検査処理部２２Ｅは、第２無線通信部４２の第１無線通信部４１への無線帰属の可否を判定する機能を有している。第１工場検査処理部２１Ｅ又は第２工場検査処理部２２Ｅとしての機能は、第１制御部２１又は第２制御部２２を構成するコンピュータが、工場検査処理プロセスを実行することにより実現される。ここで、第１制御部２１および第２制御部２２は、工場検査処理プロセスを、制御端末６０から取得するようにしてもよい。
【００２３】
制御端末６０は、例えば、第１ホームゲートウェイ装置１１の検査担当者が管理するデスクトップＰＣ、ノートＰＣ、又はタブレットＰＣ等である。制御端末６０は、例えば液晶ディスプレイからなり、各種の情報を表示する表示部（図示せず）と、キーボード又はマウスなどのポインティングデバイスからなり、外部からの入力操作の内容を受け付ける入力部（図示せず）と、を有している。もっとも、制御端末６０は、音又は音声などを報知する報知部（図示せず）を有していてもよい。また、制御端末６０は、工場検査制御部６１と、端末有線通信部６２と、記憶部６３と、を有している。
【００２４】
端末有線通信部６２は、例えば、制御端末６０に接続されたＮＩＣ（Ｎｅｔｗｏｒｋ  Ｉｎｔｅｒｆａｃｅ  Ｃａｒｄ）からなり、制御端末６０を有線ＬＡＮ等の通信ネットワークに接続するためのものである。端末有線通信部６２は、第１ホームゲートウェイ装置１１の第１有線通信部５１および第２ホームゲートウェイ装置１２の第２有線通信部５２との間で通信を行うものである。もっとも、端末有線通信部６２は、制御端末６０に内蔵されたネットワーク用のコネクタ又は通信用ＩＣ等であってもよい。
【００２５】
工場検査制御部６１は、端末有線通信部６２を介し、有線ＬＡＮ等を通じて、第１ホームゲートウェイ装置１１の第１工場検査処理部２１Ｅ又は第２ホームゲートウェイ装置１２の第２工場検査処理部２２Ｅにアクセスすることで、工場検査を行うものである。工場検査制御部６１は、例えば、ＣＵＩ（Ｃｈａｒａｃｔｅｒ  Ｕｓｅｒ  Ｉｎｔｅｒｆａｃｅ）操作又はＧＵＩ（Ｇｒａｐｈｉｃａｌ  Ｕｓｅｒ  Ｉｎｔｅｒｆａｃｅ）操作により、第１ホームゲートウェイ装置１１の工場検査を行うように構成されている。
【００２６】
工場検査制御部６１は、第１工場検査処理部２１Ｅおよび第２工場検査処理部２２Ｅに工場検査に関する指令を送信することにより、第１ホームゲートウェイ装置１１および第２ホームゲートウェイ装置１２を制御し、第１ホームゲートウェイ装置１１の無線通信機能の有効性の検査を含む工場検査を行うものである。工場検査制御部６１は、制御端末６０上で動作する工場検査アプリケーションを想定したものである。工場検査制御部６１は、例えばＤＳＰ（ｄｉｇｉｔａｌ  ｓｉｇｎａｌ  ｐｒｏｃｅｓｓｏｒ）等のマイコン又はＣＰＵ（Ｃｅｎｔｒａｌ  ｐｒｏｃｅｓｓｉｎｇ  Ｕｎｉｔ）等の演算装置により構成することができる。すなわち、工場検査制御部６１の各機能は、工場検査制御部６１を構成するＣＰＵ等のコンピュータが、記憶部６３に格納された工場検査アプリケーションを実行することにより実現される。
【００２７】
図２は、図１の通信機能検査システム１００による起動処理および無線設定処理の動作を示すシーケンス図である。図３は、図１の通信機能検査システム１００による工場検査の初期設定処理の動作を示すシーケンス図である。図４は、図１の通信機能検査システム１００による通信機能検査処理の動作を示すシーケンス図である。図５は、図１の通信機能検査システム１００による初期化処理の動作を示すシーケンス図である。図２〜図５に基づき、通信機能検査システム１００による通信機能検査方法について説明する。
【００２８】
まず、図２を参照して、通信機能検査システム１００による通信機能検査方法のうち、起動処理工程および無線設定処理工程について説明する。工場検査を行う際、検査担当者は、第１ホームゲートウェイ装置１１および第２ホームゲートウェイ装置１２の電源をＯＮにする（ステップＳ１００）。電源がＯＮにされると、第１起動処理部２１Ａおよび第２起動処理部２２Ａは、起動処理を実行する。ここで、起動処理には、各種デバイスの初期設定、およびプロセスの起動処理などが含まれる（ステップＳ１０１）。
【００２９】
第１ホームゲートウェイ装置１１および第２ホームゲートウェイ装置１２は、起動処理を経て通常運用モードで起動し、設定変更を受け付けることができる状態を維持したまま、検査担当者による画面操作が行われるまで待機する。ここで、画面操作とは、検査担当者が、制御端末６０を用いて行う工場検査の設定操作のことである。すなわち、画面操作とは、検査担当者が、制御端末６０の表示部に表示された設定画面に応じて入力部を操作し、工場検査に関する各種設定を行うことである（ステップＳ１０２）。
【００３０】
検査担当者が、制御端末６０において、無線設定処理に関する画面操作を行うと、工場検査制御部６１は、検査担当者による操作内容に応じて、工場検査の準備を開始する（ステップＳ１０３）。工場検査制御部６１は、端末有線通信部６２を介してＡＰとしての起動指令を送信し、第１工場検査処理部２１Ｅを起動させる（ステップＳ１０４）。第１工場検査処理部２１Ｅは、工場検査制御部６１からの起動指令に応じて起動した後、設定変更を受け付けることができる状態で待機する。これにより、第１ホームゲートウェイ装置１１は、検査対象の通信装置の検査を実行する工場検査モードで起動する。なお、第１ホームゲートウェイ装置１１には、通常運用モードでの起動により、ＡＰ用無線ドライバが自動的にインストールされる（ステップＳ１０５）。
【００３１】
次いで、工場検査制御部６１は、端末有線通信部６２を介して、ＳＴＡとしての起動指令およびＳＴＡ用無線ドライバのインストール指令を送信し、第２工場検査処理部２２Ｅを起動させる（ステップＳ１０６）。第２工場検査処理部２２Ｅは、工場検査制御部６１からの起動指令に応じて起動した後、第２起動処理部２２ＡにＳＴＡ用無線ドライバをインストールさせ、工場検査処理を受け付けることができる状態で待機する。これにより、第２ホームゲートウェイ装置１２は、工場検査モードで起動する（ステップＳ１０７）。
【００３２】
第２起動処理部２２Ａは、ＳＴＡ用無線ドライバを第２データ記憶部３２に記憶させ、ＳＴＡとしての無線初期設定を指示する無線設定要求を第２無線設定処理部２２Ｂに出力する。第２無線設定処理部２２Ｂは、ＳＴＡとしての無線初期設定を開始する（ステップＳ１０８）。第２無線設定処理部２２Ｂは、第２データ記憶部３２にＳＴＡ用無線ドライバの取得要求を出力し、第２データ記憶部３２からの応答によりＳＴＡ用無線ドライバを取得する（ステップＳ１０９）。
【００３３】
次いで、第２起動処理部２２Ａは、ＳＴＡ用無線ドライバによる起動要求を第２無線制御部２２Ｃに出力し（ステップＳ１１０）、第２無線制御部２２Ｃは、ＳＴＡ用無線ドライバに基づく動作を開始する。第２無線制御部２２Ｃは、第２無線通信部４２に初期設定要求を出力する（ステップＳ１１１）。第２無線通信部４２は、初期設定を実行し、初期設定完了の旨を第２無線制御部２２Ｃに応答する（ステップＳ１１２）。第２無線制御部２２Ｃは、ＳＴＡ用無線ドライバに基づく起動処理が完了した旨を第２無線設定処理部２２Ｂに応答する（ステップＳ１１３）。第２無線設定処理部２２Ｂは、無線設定の変更を受け付けることができる状態で待機する（ステップＳ１１４）。
【００３４】
次に、図３を参照して、通信機能検査システム１００による通信機能検査方法のうち、工場検査の初期設定処理工程について説明する。検査担当者が、制御端末６０において、工場検査に関する画面操作を行うと、工場検査制御部６１は、検査担当者による操作内容に応じて工場検査を開始する（ステップＳ１１５）。
【００３５】
工場検査制御部６１は、端末有線通信部６２を介して第１工場検査処理部２１Ｅに、工場検査の初期設定に関する設定要求を送信する（ステップＳ１１６）。第１工場検査処理部２１Ｅは、第１無線制御部２１Ｃに、工場検査用の無線初期設定に関する設定要求を出力する。ここで、工場検査用の無線初期設定には、ＳＳＩＤ（Ｓｅｒｖｉｃｅ  Ｓｅｔ  Ｉｄｅｎｔｉｆｉｅｒ）、無線ＬＡＮ動作モードチャネル、暗号化方式、およびパスワードなどの設定が含まれる（ステップＳ１１７）。第１無線制御部２１Ｃは、第１無線通信部４１に、無線初期設定の反映を要求する設定要求を出力する（ステップＳ１１８）。
【００３６】
第１無線通信部４１は、無線初期設定の反映処理を実行し（ステップＳ１１９）、反映処理完了の旨を第１無線制御部２１Ｃに応答する（ステップＳ１２０）。第１無線制御部２１Ｃは、工場検査用の無線初期設定が完了した旨を第１工場検査処理部２１Ｅに応答する（ステップＳ１２１）。第１工場検査処理部２１Ｅは、工場検査の初期設定完了の旨を工場検査制御部６１に応答する（ステップＳ１２２）。
【００３７】
工場検査制御部６１は、端末有線通信部６２を介して第２工場検査処理部２２Ｅに、工場検査の初期設定に関する設定要求を送信する（ステップＳ１２３）。第２工場検査処理部２２Ｅは、工場検査用の無線初期設定に関する設定要求を第２無線制御部２２Ｃに出力する（ステップＳ１２４）。第２無線制御部２２Ｃは、無線初期設定の反映を要求する設定要求を第２無線通信部４２に出力する（ステップＳ１２５）。
【００３８】
第２無線通信部４２は、無線初期設定の反映処理を実行し（ステップＳ１２６）、反映処理完了の旨を第２無線制御部２２Ｃに応答する（ステップＳ１２７）。第２無線制御部２２Ｃは、工場検査用の無線初期設定が完了した旨を第２工場検査処理部２２Ｅに応答する（ステップＳ１２８）。第２工場検査処理部２２Ｅは、工場検査の初期設定完了の旨を工場検査制御部６１に応答する（ステップＳ１２９）。
【００３９】
続いて、図４を参照して、通信機能検査システム１００による通信機能検査方法のうち、通信機能検査工程について説明する。工場検査制御部６１は、第１工場検査処理部２１Ｅおよび第２工場検査処理部２２Ｅから、工場検査の初期設定完了の旨の応答を受けると、工場検査シナリオＮｏ．１としての無線帰属処理を開始する。すなわち、工場検査制御部６１は、無線帰属の設定要求を第２工場検査処理部２２Ｅに送信する（ステップＳ１３０）。
【００４０】
第２工場検査処理部２２Ｅは、工場検査制御部６１からの設定要求に応じて、工場検査シナリオＮｏ．１としての無線帰属処理を開始する。すなわち、第２工場検査処理部２２Ｅは、無線帰属の設定要求を第２無線制御部２２Ｃに出力する（ステップＳ１３１）。そして、第２無線制御部２２Ｃは、無線帰属の設定要求を第２無線通信部４２に出力する（ステップＳ１３２）。
【００４１】
ＳＴＡとして機能する第２無線通信部４２は、ＡＰとして機能する第１無線通信部４１との間で無線帰属処理を実行する。無線帰属処理により、第２無線通信部４２と第１無線通信部４１との間に帰属関係が結ばれ、通信コネクションが確立される（ステップＳ１３３）。第１無線通信部４１は、第２無線通信部４２との間に通信コネクションが確立されると（ステップＳ１３４）、無線帰属処理完了の旨を第２無線通信部４２に応答する（ステップＳ１３５）。
【００４２】
第２無線通信部４２は、無線帰属処理完了の旨を第２無線制御部２２Ｃに応答する（ステップＳ１３６）。第２無線制御部２２Ｃは、無線帰属処理完了の旨を第２工場検査処理部２２Ｅに応答する（ステップＳ１３７）。第２工場検査処理部２２Ｅは、工場検査シナリオＮｏ．１としての無線帰属処理の結果、すなわち、第２無線通信部４２の第１無線通信部４１への無線帰属の可否についての判定結果を工場検査制御部６１に応答する。ここで、無線帰属処理が正常に終了しなかった場合、第２工場検査処理部２２Ｅは、無線帰属処理のエラーを工場検査制御部６１に応答する。その際、工場検査制御部６１は、無線帰属処理のエラーを示す情報を表示部に表示させるようにしてもよい。併せて、工場検査制御部６１は、音又は音声により、無線帰属処理のエラーを報知部から報知するようにしてもよい（ステップＳ１３８）。
【００４３】
次いで、第２工場検査処理部２２Ｅは、工場検査シナリオＮｏ．２としてのデータ送受信処理を開始する。すなわち、第２工場検査処理部２２Ｅは、データ送受信処理開始の設定要求を第２無線制御部２２Ｃに出力する（ステップＳ１３９）。第２無線制御部２２Ｃは、データ送受信処理開始の設定要求を第２無線通信部４２に出力する（ステップＳ１４０）。第２無線通信部４２は、第１無線通信部４１への無線によるデータ送信を実行する。より具体的に、第２無線通信部４２は、ＦＴＰデータ転送によるＴＣＰパケット等を第１無線通信部４１に送信する（ステップＳ１４１）。
【００４４】
第１無線通信部４１は、第２無線通信部４２から無線により送信されたデータの受信処理を実行する。第１無線通信部４１は、データの受信処理が完了すると（ステップＳ１４２）、ＡＣＫ（肯定応答）等によって第２無線通信部４２に応答する（ステップＳ１４３）。
【００４５】
第２無線通信部４２は、データ送受信処理の完了の旨を第２無線制御部２２Ｃに応答する（ステップＳ１４４）。第２無線制御部２２Ｃは、データ送受信処理の完了の旨を第２工場検査処理部２２Ｅに応答する（ステップＳ１４５）。第２工場検査処理部２２Ｅは、工場検査シナリオＮｏ．２としてのデータ送受信処理の結果を工場検査制御部６１に応答する。ここで、データ送受信処理が正常に終了しなかった場合、第２工場検査処理部２２Ｅは、データ送受信処理のエラーを工場検査制御部６１に応答する。その際、工場検査制御部６１は、データ送受信処理のエラーを示す情報を表示部に表示させるようにしてもよい。併せて、工場検査制御部６１は、音又は音声により、データ送受信処理のエラーを報知部から報知するようにしてもよい（ステップＳ１４６）。
【００４６】
もっとも、無線帰属処理が正常に終了しなかった場合、通信機能検査システム１００は、上記ステップＳ１３９〜Ｓ１４６に示すデータ送受信処理を行わなくてもよい。ここで、図４のステップＳ１３１〜Ｓ１３８の一連の処理は、本発明の無線帰属ステップに相当する。また、図４のステップＳ１３９〜Ｓ１４６の一連の処理は、本発明のデータ送受信ステップに相当する。
【００４７】
次に、図５を参照して、通信機能検査システム１００による通信機能検査方法のうち、初期化工程について説明する。図６のステップＳ１４６の処理が完了すると、通信機能検査システム１００は、工場検査シナリオＮｏ．１および工場検査シナリオＮｏ．２と同様に、暗号方式の種別設定処理、又はチャネルの設定処理などといった他の工場検査シナリオを実施する。そして、工場検査制御部６１は、工場検査シナリオの全てが完了すると（ステップＳ１４７）、検査対象の装置である第１ホームゲートウェイ装置１１を初期化する。すなわち、工場検査制御部６１は、第１工場検査処理部２１Ｅに初期化指令を送信し、第１工場検査処理部２１Ｅは、第１データ記憶部３１に初期化を要求する。第１データ記憶部３１は、第１工場検査処理部２１Ｅからの要求に応じて無線設定の初期化を行い、初期化が完了した旨を第１工場検査処理部２１Ｅに出力する。第１工場検査処理部２１Ｅは、初期化が完了した旨を工場検査制御部６１に応答する（ステップＳ１４８）。
【００４８】
また、工場検査制御部６１は、対向装置である第２ホームゲートウェイ装置１２を初期化する。すなわち、工場検査制御部６１は、第２工場検査処理部２２Ｅに初期化指令を送信し、第２工場検査処理部２２Ｅは、第２データ記憶部３２に初期化を要求する。第２データ記憶部３２は、第２工場検査処理部２２Ｅからの要求に応じて無線設定の初期化を行う。その際、第２データ記憶部３２は、通常運用では不要となるＳＴＡ用無線ドライバを削除する。そして、第２データ記憶部３２は、初期化が完了した旨を第２工場検査処理部２２Ｅに出力する。第２工場検査処理部２２Ｅは、初期化が完了した旨を工場検査制御部６１に応答する（ステップＳ１４９）。工場検査制御部６１は、第２工場検査処理部２２Ｅから初期化が完了した旨の応答を受けると、例えば、工場検査完了を示す情報を表示部に表示させる。その際、工場検査制御部６１は、第１ホームゲートウェイ装置１１の無線通信機能の有効性についての検査結果、つまり、第２制御部２２から送信されたデータ送受信の結果を示す情報を表示部に表示させるようにするとよい。この場合、工場検査シナリオＮｏ．１としての無線帰属処理と、工場検査シナリオＮｏ．２としてのデータ送受信処理とが正常に完了していれば、工場検査制御部６１は、第１ホームゲートウェイ装置１１の無線通信機能が有効であることを示す情報を表示させる（ステップＳ１５０）。
【００４９】
ここで、上記動作説明は、図２〜図５に付した符号の順に説明したが、これに限定されるものではない。例えば、図２の無線設定処理は、ステップＳ１０４〜Ｓ１０５の処理と、ステップＳ１０６〜Ｓ１１４の処理とを入れ替えてもよい。また、図３の工場検査の初期設定処理は、ステップＳ１１６〜Ｓ１２２の処理と、ステップＳ１２３〜Ｓ１２９の処理とを入れ替えてもよい。さらに、図５の初期化処理は、ステップＳ１４８の処理とステップＳ１４９の処理とを入れ替えてもよい。
【００５０】
以上のように、本第１実施形態における通信機能検査システム１００は、制御端末６０から、第１ホームゲートウェイ装置１１および第２ホームゲートウェイ装置１２を工場検査モードに設定し、第１ホームゲートウェイ装置１１をＡＰモードに設定し、第２ホームゲートウェイ装置１２をＳＴＡモードに設定する。そして、通信機能検査システム１００は、第２ホームゲートウェイ装置１２から第１ホームゲートウェイ装置１１への無線帰属処理およびデータ送受信処理を行うことにより、第１ホームゲートウェイ装置１１の無線通信機能の有効性を判断する。よって、通信機能検査システム１００によれば、専用の無線検査装置を設置することなく、第１ホームゲートウェイ装置１１の無線通信機能の有効性を低コストで効率よく検査することができる。
【００５１】
また、通信機能検査システム１００は、工場検査シナリオが全て完了し、初期設定を行う際に、工場検査には必要であるが通常運用には不要となるＳＴＡ用無線ドライバを自動的に削除する。そのため、人為的なデータ削除による手間を省き、メモリ資源の浪費を防ぐことができる。
【００５２】
［第２実施形態］
図６は、本発明の第２実施形態に係る通信機能検査システムの構成を例示するブロック図である。本第２実施形態の通信機能検査システム２００は、第１データ記憶部３１および第２データ記憶部３２のデータ保存領域に書き込まれたファームウェアの内容が、前述した第１実施形態の通信機能検査システム１００とは異なっている。前述した通信機能検査システム１００と同等の構成部材については同一の符号を用いて説明は省略する。
【００５３】
通信機能検査システム２００は、第１ホームゲートウェイ装置１１１と、第２ホームゲートウェイ装置１１２と、制御端末６０と、を有している。第１データ記憶部３１および第２データ記憶部３２のデータ保存領域には、規定のファームウェアとして、ブートローダ、ＯＳ、所定のプログラム、およびＡＰ用無線ドライバの他、ＳＴＡ用無線ドライバ、無線モードフラグ、および起動モードフラグが記憶されている。検査対象装置である第１ホームゲートウェイ装置１１１の無線モードフラグは、検査対象の通信装置として無線通信を実行させるＡＰモードに設定されている。対向装置である第２ホームゲートウェイ装置１１２の無線モードフラグは、検査対象の通信装置の対向装置として無線通信を実行させるＳＴＡモードに設定されている。第１ホームゲートウェイ装置１１１および第２ホームゲートウェイ装置１１２の起動モードフラグは、検査対象の通信装置の検査を実行する工場検査モードに設定されている。
【００５４】
第１ホームゲートウェイ装置１１１の第１制御部１２１は、第１起動処理部１２１Ａを有している。第２ホームゲートウェイ装置１１２の第２制御部１２２は、第２起動処理部１２２Ａを有している。第１起動処理部１２１Ａは、第１データ記憶部３１から起動モードフラグを取得することにより、工場検査モードでの起動処理を実行する。また、第１起動処理部１２１Ａは、第１データ記憶部３１から無線モードフラグを読み出すことにより、ＡＰモードでの無線初期設定を実行する。第２起動処理部１２２Ａは、第２データ記憶部３２から起動モードフラグを取得することにより、工場検査モードでの起動処理を実行する。また、第２起動処理部１２２Ａは、第２データ記憶部３２から無線モードフラグを読み出すことにより、ＳＴＡモードでの無線初期設定を実行する。
【００５５】
図７は、図６の通信機能検査システム２００による起動処理および無線設定処理の動作を示すシーケンス図である。図７を参照して、通信機能検査システム２００による通信機能検査方法のうち、起動処理工程および無線設定処理工程について説明する。図２と同等の動作については同一の符号を用いて説明は省略する。
【００５６】
工場検査を行う際、検査担当者が、第１ホームゲートウェイ装置１１１および第２ホームゲートウェイ装置１１２の電源をＯＮにすると（ステップＳ１００）、第１起動処理部１２１Ａおよび第２起動処理部１２２Ａは、起動処理を実行する（ステップＳ１０１）。次いで、第１起動処理部１２１Ａは、起動モードフラグの取得要求を第１データ記憶部３１に出力し、第１データ記憶部３１からの応答により起動モードフラグを取得する。同様に、第２起動処理部１２２Ａは、起動モードフラグの取得要求を第２データ記憶部３２に出力し、第２データ記憶部３２からの応答により起動モードフラグを取得する（ステップＳ２０１）。
【００５７】
次いで、第１起動処理部１２１Ａおよび第２起動処理部１２２Ａは、起動モードフラグが、工場検査モードを示すものであるか、通常運用モードを示すものであるかについて判定する。本第２実施形態では、第１ホームゲートウェイ装置１１および第２ホームゲートウェイ装置１２が、工場検査モードで起動することを想定しているため、第１起動処理部１２１Ａおよび第２起動処理部１２２Ａは、上記ステップＳ２０１において、工場検査モードを示す起動モードフラグを取得している。よって、第１起動処理部１２１Ａおよび第２起動処理部１２２Ａは、起動モードフラグが工場検査モードを示すものであると判定する（ステップＳ２０２）。そして、第１起動処理部１２１Ａは、工場検査モードでの起動指令を第１工場検査処理部２１Ｅに出力し、第２起動処理部１２２Ａは、工場検査モードでの起動指令を第２工場検査処理部２２Ｅに出力する（ステップＳ２０３）。第１工場検査処理部２１Ｅおよび第２工場検査処理部２２Ｅは、工場検査モードで起動し、設定変更を受け付けることができる状態で待機する（ステップＳ２０４）。
【００５８】
次いで、第１起動処理部１２１Ａは、無線モードフラグの取得要求を第１データ記憶部３１に出力し、第１データ記憶部３１からの応答により無線モードフラグを取得する。同様に、第２起動処理部１２２Ａは、無線モードフラグの取得要求を第２データ記憶部３２に出力し、第２データ記憶部３２からの応答により無線モードフラグを取得する（ステップＳ２０５）。
【００５９】
ここで、起動モードが通常運用モードであれば、無線モードはＡＰモードに固定されているが、起動モードが工場検査モードの場合は、通信装置の用途によって無線モードの設定が異なる。そのため、第１起動処理部１２１Ａおよび第２起動処理部１２２Ａは、無線モードフラグが、ＡＰモードを示すものであるか、ＳＴＡモードを示すものであるかについて判定する。本第２実施形態では、検査対象装置である第１ホームゲートウェイ装置１１がＡＰモードで起動し、対向装置である第２ホームゲートウェイ装置１２がＳＴＡモードで起動する前提となっている。よって、上記ステップＳ２０５において、第１起動処理部１２１Ａは、ＡＰモードを示す無線モードフラグを取得しており、第２起動処理部１２２Ａは、ＳＴＡモードを示す無線モードフラグを取得している。そのため、第１起動処理部１２１Ａは、無線モードフラグがＡＰモードを示すものであると判定し、第２起動処理部１２２Ａは、無線モードフラグがＳＴＡモードを示すものであると判定する（ステップＳ２０６）。
【００６０】
次いで、第１起動処理部１２１Ａは、ＡＰとしての無線初期設定を指示する無線設定要求を第１無線設定処理部２１Ｂに出力する。第１無線設定処理部２１Ｂは、ＡＰとしての無線初期設定を開始する（ステップＳ２０７）。第１無線設定処理部２１Ｂは、第１データ記憶部３１にＡＰ用無線ドライバの取得要求を出力し、第１データ記憶部３１からの応答によりＡＰ用無線ドライバを取得する（ステップＳ２０８）。
【００６１】
次いで、第１起動処理部１２１Ａは、ＡＰ用無線ドライバによる起動要求を第１無線制御部２１Ｃに出力し（ステップＳ２０９）、第１無線制御部２１Ｃは、ＡＰ用無線ドライバに基づく動作を開始する。第１無線制御部２１Ｃは、第１無線通信部４１に初期設定要求を出力する（ステップＳ２１０）。第１無線通信部４１は、初期設定を実行し、初期設定完了の旨を第１無線制御部２１Ｃに応答する（ステップＳ２１１）。第１無線制御部２１Ｃは、ＡＰ用無線ドライバに基づく起動処理が完了した旨を第１無線設定処理部２１Ｂに応答する（ステップＳ２１２）。第１無線設定処理部２１Ｂは、無線設定の変更を受け付けることができる状態で待機する（ステップＳ２１３）。
【００６２】
また、第２ホームゲートウェイ装置１１２は、ステップＳ１０８〜Ｓ１１４の処理を、図２における第２ホームゲートウェイ装置１２と同様に実行する。そして、通信機能検査システム２００は、工場検査の初期設定処理、通信機能検査処理、および初期化処理を、図３〜図５における通信機能検査システム１００と同様に実行する。ただし、第１データ記憶部３１は、図５のステップＳ１４８において、無線設定の初期化を行う際、併せて、起動モードおよび無線モードの初期化（通常運用モードおよびＡＰモードの初期化）を実行し、通常運用では不要となるＳＴＡ用無線ドライバを削除する。同様に、第２データ記憶部３２は、図５のステップＳ１４９において、無線設定の初期化を行う際、併せて、起動モードおよび無線モードの初期化を実行し、通常運用では不要となるＳＴＡ用無線ドライバを削除する。ここで、起動モードの初期化とは、起動モードフラグが通常運用モードを示すように設定することである。また、無線モードの初期化とは、無線モードフラグがＡＰモードを示すように設定することである。
【００６３】
以上のように、本第２実施形態の通信機能検査システム２００は、第１ホームゲートウェイ装置１１１および第２ホームゲートウェイ装置１１２の基板の製造時に、無線機能の工場検査に必要な情報が、ファームウェアとして予め書き込まれている。すなわち、通信機能検査システム２００は、検査担当者が第１ホームゲートウェイ装置１１１および第２ホームゲートウェイ装置１１２の電源をＯＮするだけで、制御端末６０での画面操作を行うことなく無線設定処理を完了することができる。よって、通信機能検査システム２００によれば、工場検査時に費やす人手および時間を削減することができる。
【００６４】
また、通信機能検査システム２００は、工場検査シナリオが全て完了し、初期設定を行う際に、工場検査には必要であるが通常運用には不要となる各種データを自動的に削除する。そのため、人為的なデータ削除による手間を省き、メモリ資源の浪費を防ぐことができる。他の効果については、第１実施形態の通信機能検査システム１００と同様である。
【００６５】
ところで、図３のステップＳ１１５では、検査担当者による画面操作を受けて、工場検査制御部６１が工場検査を開始する場合を例示したが、これに限定されるものではない。例えば、図７に示す無線設定処理が完了したときに、第１無線設定処理部２１Ｂおよび第２無線設定処理部２２Ｂが、無線設定処理の完了の旨を工場検査制御部６１に通知するようにしてもよい。そして、工場検査制御部６１が、第１無線設定処理部２１Ｂおよび第２無線設定処理部２２Ｂからの通知を受けたとき、自動的に、図４に示す工場検査の初期設定処理を開始するようにしてもよい。このようにすれば、検査担当者が操作に要する手間および時間を削減することができ、工場検査の効率化を図ることができる。
【００６６】
ここで、上記各実施形態は、通信機能検査システムおよび通信機能検査方法における好適な具体例であり、本発明の技術的範囲は、これらの態様に限定されるものではない。例えば、上記各実施形態では、無線ＡＰ製品の工場検査を行う場合について説明したが、これに限らず、通信機能検査システム１００および２００は、無線ＳＴＡ製品の工場検査にも同様に適用することができる。
【００６７】
また、上記各実施形態では、無線通信機能の工場検査を行う場合を例示したが、これに限定されるものではない。通信機能検査システム１００および２００は、有線通信機能、ＵＳＢ（Ｕｎｉｖｅｒｓａｌ  Ｓｅｒｉａｌ  Ｂｕｓ）機能、又はＶｏＩＰ（Ｖｏｉｃｅ  ｏｖｅｒ  Ｉｎｔｅｒｎｅｔ  Ｐｒｏｔｏｃｏｌ）機能など、互いに役割が異なり、対になって通信する通信機器（クライアントとサーバ、ホストとデバイス、発信装置と受信装置など）の工場検査にも同様に適用することができる。
【００６８】
すなわち、上記各実施形態では、工場検査において、ホームゲートウェイ装置の無線通信機能を検査する場合を例示したが、これに限定されるものではない。つまり、通信機能検査システム１００および２００は、各ホームゲートウェイ装置を種々の通信装置に置き換え、一方の通信装置と他方の通信装置との間の通信コネクションを確立する帰属処理と、一方の通信装置と他方の通信装置との間でのデータ送受信処理とを行うことにより、通信装置の通信機能を低コストで効率よく検査することができる。
【００６９】
さらに、上記各実施形態では、制御端末６０と各通信装置とを有線ＬＡＮ経由で接続した場合を例示したが、これに限定されるものではない。例えば、制御端末６０と各通信装置とを、無線ＬＡＮ又はシリアル通信等の通信手段によって接続し、遠隔操作によって通信機能の検査を行うようにしてもよい。
【００７０】
また、上記第２実施形態では、第１データ記憶部３１及び第２データ記憶部３２に、起動モードフラグ、無線モードフラグ、及びＳＴＡ用無線ドライバが格納されている場合を例示したが、これに限定されるものではない。すなわち、第１データ記憶部３１及び第２データ記憶部３２には、起動モードフラグ、無線モードフラグ、及びＳＴＡ用無線ドライバのうちの少なくとも１つを格納するようにしてもよい。
【符号の説明】
【００７１】
１１、１１１  第１ホームゲートウェイ装置、１２、１１２  第２ホームゲートウェイ装置、２１、１２１  第１制御部、２１Ａ、１２１Ａ  第１起動処理部、２１Ｂ  第１無線設定処理部、２１Ｃ  第１無線制御部、２１Ｄ  第１有線制御部、２１Ｅ  第１工場検査処理部、２２、１２２  第２制御部、２２Ａ、１２２Ａ  第２起動処理部、２２Ｂ  第２無線設定処理部、２２Ｃ  第２無線制御部、２２Ｄ  第２有線制御部、２２Ｅ  第２工場検査処理部、３１  第１データ記憶部、３２  第２データ記憶部、４１  第１無線通信部、４２  第２無線通信部、５１  第１有線通信部、５２  第２有線通信部、６０  制御端末、６１  工場検査制御部、６２  端末有線通信部、６３  記憶部、１００、２００  通信機能検査システム。
【図１】
2018037868.tif 000003
【図２】
2018037868.tif 000004
【図３】
2018037868.tif 000005
【図４】
2018037868.tif 000006
【図５】
2018037868.tif 000007
【図６】
2018037868.tif 000008
【図７】
2018037868.tif 000009